(57)【要約】【課題】撮像機器の保護ケースのシール部材に非使用時にはシール部材に応力が掛からない様な構造、更にその状態での誤使用を避ける構造を提供すること。【解決手段】保護ケースには、２つのカバーを着脱可能に構成し、一方のカバーを反転装着出来る様にカバー同士の固定をバックルにて係止し、バックルは反転しないカバー側に設け、反転側のカバーにバックル係止部を双方の固定時の位置から略同一距離となる様構成し、更にシール部材保護用の庇を設け、反転装着時にはシール部材に応力と外部からのダメージを受けない様に構成する。更に反転時は保護ケース内寸法が小さくなり、撮像機器を収納出来ない状態することでより使い勝手の良い安心して使用できる撮像機器の保護ケースとすることが出来る。【選択図】図１
2017068176.tif 000002
【特許請求の範囲】
【請求項１】
撮像機器を収納して撮影が可能な保護ケースであって、該保護ケースはカバー１、カバー２の２つのカバーから構成され、
カバー１とカバー２を保持するためのバックル部を有し
バックル部はカバー１に構成され、カバー２にはバックル係止部を有する。
更に、カバー１とカバー２にはバックル係止時のカバー同士の位置を決めるための受け部と勘合部を設け、カバー２の受け部と勘合部は複数で表面と裏面に設け、複数の受け部とバックル係止部との寸法ＸとＹを同一のＸ≒Ｙとして構成することで、カバー２をカバー１に対し表裏２方向で装着、バックル係止を可能としたことを特徴とする撮像機器を収納して撮影が可能な保護ケース。
【請求項２】
カバー１とカバー２の勘合部形状を対称形状にしたことを特徴とする撮像機器を収納して撮影が可能な請求項１に記載の保護ケース。
【請求項３】
カバー２を裏面装着した状態は内寸法がＬ１＞Ｌ２となる様に構成し、保護ケースとして使用できない状態であることを特徴とする撮像機器を収納して撮影が可能な請求項２に記載の保護ケース。
【請求項４】
カバー２を裏面装着した状態はシール部材に応力が掛からない構成としたこと特徴とする撮像機器を収納可能な請求項１乃至請求項３の何れか一項に記載の保護ケース。
【請求項５】
カバー２には庇を設け、カバー２を裏面装着した状態でシール部材と庇にはクリアランスＺを設け、シール部材が保護ケース最外部に露出しない構成としたこと特徴とする撮像機器を収納可能な請求項１乃至請求項４の何れか一項に記載の保護ケース。
【請求項６】
カバー１に設けるバックル部を２つで構成したこと特徴とする撮像機器を収納可能な請求項１乃至請求項５の何れか一項に記載の保護ケース。
【発明の詳細な説明】
【技術分野】
【０００１】
本発明は、撮像機器用の保護ケースを構成するカバーの構造に関する。
【背景技術】
【０００２】
ビデオカメラ等の撮像機器を収納し撮影可能な保護ケース特に防水を目的としたケース(例えばマリンパック等)においては、撮像機器を収納するための開口部があり、開口部を防水する為のシール部材(Ｏリング等)が設けられている。
【０００３】
このシール部材は開口部を閉じた際に適切な潰し量が確保される様に保持されており、シール部材が潰された状態で開口部が閉じ外部からの水などの浸入を防ぐ様になっている。
【０００４】
シール部材にはＯリング等ゴム様の部材が用いられることが一般的であり、非使用時(保管時)に開口部を長期間閉じたままにすると、シール部材が変形等を起こし、必要な潰し量が得られなくなり防水性能が落ち、水漏れが発生する原因となることがあった。  その対応として、開口部にスペーサ部材を挟み、開口部が閉じない状態やシール部材を外して保管を行なっている。
【０００５】
また、非使用時にシール部材に荷重がかからない様Ｏリング取り付け位置を複数持たせて非使用時にＯリングに荷重がかからない様にする方法が提案されている（特許文献１参照）。
【０００６】
しかしながら、スペーサでは開口部が閉じないようにすることはできてもその状態を維持できず開いたり、外したＯリングを別々に保管して紛失する恐れがあること、またＯリング位置を替えることは、その都度付け直しの必要があり、非使用時の状態のまま使用してしまう可能性があり、水漏れ発生の恐れがある等、煩雑であった。
【先行技術文献】
【特許文献】
【０００７】
【特許文献１】特開２０１２−８８４０９号公報
【発明の開示】
【発明が解決しようとする課題】
【０００８】
上記に述べてきたように従来のビデオカメラ等の撮像機器を収納し撮影可能な保護ケース特に防水を目的としたケース(例えばマリンパック等)においては、撮像機器を収納するための開口部があり、開口部を防水する為のシール部材(Ｏリング等)が設けられており、非使用時に開口部を長期間閉じたままでもシール部材が劣化しないようにする配慮が必要となっている。
【０００９】
また、従来の劣化防止手法では、操作が複雑であり、誤操作による水漏れを防ぐことには対応できていなかった。
これらのことから撮像機器の保護ケースの様に、シール部材で外部からの水の浸入を防いでいる構造に対して、非使用時のシール部材の劣化が起き難く、保管しやすい使い勝手の良い構造が望まれている。
【００１０】
本発明は、上記従来の問題に鑑み、撮像機器の保護ケースのシール部材に非使用時にはシール部材に応力が掛からない様な構造、更にその状態での誤使用を避ける構造を提供することを目的とする。
【課題を解決するための手段】
【００１１】
上記の目的を達成する為に、本発明に係る保護ケースには、
二つのカバーから構成された一方のカバーを表裏反転して装着可能にする為、２つのカバーは着脱可能に構成し、一方のカバーを反転装着出来る様にカバー同士の固定はバックルにて係止する。バックルは反転しないカバー側に設けバックル自体は反転させず、反転側のカバーにバックル係止部を双方の固定時の位置から略同一距離となる様構成し、更にシール部材保護用の庇を設け、反転装着時にはシール部材に応力と外部からのダメージを受けない様に構成する。更に反転時は保護ケース内寸法が小さくなり、撮像機器を収納不可の状態することでより使い勝手の良い安心して使用できる撮像機器の保護ケースとすることが出来る。
【発明の効果】
【００１２】
本発明に係る保護ケースによれば、保護ケースの一方のカバーを表裏反転装着を可能とし、反転装着時にはシール部材に応力と外部からのダメージを受けない様に構成する。更に反転時は保護ケース内寸法が小さくなり、撮像機器を収納不可の状態することで従来の保護ケースに比べシール部材の劣化を防ぐことが可能でより信頼性を高めることが出来る。
【図面の簡単な説明】
【００１３】
【図１】実施例１の保護ケースを示す図
【図２】実施例１の保護ケースを示す図
【図３】実施例１のバックル部構造説明の断面図
【図４】実施例１のバックル部構造説明の断面図
【図５】実施例１の保護ケースの断面図
【図６】実施例１の保護ケースを装着方法を示す図
【図７】実施例２の保護ケースを示す図
【図８】実施例２の保護ケースを示す図
【図９】実施例２のバックル部構造説明の断面図
【図１０】実施例２のバックル部構造説明の断面図
【図１１】実施例３の保護ケースを示す図
【図１２】実施例３の保護ケースを示す図
【図１３】実施例３のバックル部構造説明の断面図
【図１４】実施例３のバックル部構造説明の断面図
【図１５】保護ケースを示す図
【発明を実施するための形態】
【００１４】
以下、本発明の実施の形態を図面に基づいて説明する。
【実施例１】
【００１５】
本実施例は保護ケースの中でも水の浸入を防ぐいわゆる防水ケースを例に説明する。
【００１６】
図１５は従来の撮像機器としてビデオカメラを防水する保護ケースを示す図であり、1000は保護ケース、1001はビデオカメラ、1002は保護ケース開口部のシール部、1003はビデオカメラ1001の三脚ネジに取付けて保護ケース1001へ装着する為の台座である。また、1004は保護ケース1000の前側カバーである。
【００１７】
保護ケース1000を使用する際には、この台座1003にビデオカメラ1001を装着し台座1003と保護ケース1000が係合するように構成され位置を決めて装着することが出来る。
【００１８】
保護ケース1000のシール部はゴム様のＯリング等で構成されることが多く前側カバー1004を閉じることでシール部1002が径方向に設定した量だけ圧縮して潰され外部の水の浸入を防いでいる。
【００１９】
また、1005は前側カバーを閉じた状態で保持するバックルである。
【００２０】
図１、図２は本実施例の防水ケースを示す図で、10は防水ケース、11は前カバー、12は後カバー、13a、13bは前カバー11と後カバー12を閉じた状態で保持するバックルである。
【００２１】
また、14は装着した撮像機器の光学系に合わせたガラス部である。このガラス部14を通して撮影を行う。
【００２２】
図３は図２のバックル13a部近傍のＡ−Ａ断面を示す図であり、21は防水用のＯリング、31及び32は前カバー11に設けた後ろカバー12の当て面、33は前カバー11の勘合部、34は後ろカバー12の勘合部、35はバックル係止部、36は後ろカバー12に設けた前カバー11の当て面である。
【００２３】
また、37は前カバー11に設けた防水面、38は後カバー12に設けた防水面である。
【００２４】
通常撮像機器を収納して使用する状態では当て面31と36が接してカバーの位置を決め、バックル13aをバックル係止部35にて引き込んで閉じた状態を保持する。Ｘは当て面31とバックル係止部35の距離を示している。このときＯリング21は防水面37と防水面38によってＯリング21の径方向に潰されるように構成して防水ケース10内に水が浸入することを防いでいる。
【００２５】
図４は前カバー11を反転して後カバー12に取付けた状態での同じ個所の断面を示す図であり、後ろカバーの当て面36に対して前カバー11の当て面を32で接し、当て面32とバックル係止部35の距離をＹとしたとき
ＸとＹをＸ≒Ｙとし前カバー11を反転して装着することが可能となる。
【００２６】
バックル13bについても同様の断面形状での関係として、前カバー11を後カバー12に確実に装着することが可能となる。
【００２７】
また、勘合部34に前カバー11の勘合部33が沿うように入り込むことでバックル13a、13bとバックル係止部35の位置が適切な位置に来るようにし裏面装着を行いやすくすることを可能としている。
【００２８】
この時Ｏリング21は後カバー12に取り付いた状態で前カバー11による応力を受けない状態を保ちＯリング21を圧縮せず、変形等の劣化を防止することを可能としている。
【００２９】
図５は先のＡ−Ａ箇所での断面図であり、撮像機器を収納する状態の内寸法Ｌ１に比較して、前カバー11を裏面装着した内寸法Ｌ２はＬ１に比較し充分小さくこの状態では撮像機器を収納することができない様になっている。図６は本実施例の前カバー11の装着を示す図であり後カバー12から離脱した11を反転し装着する様子を示している。
【００３０】
この様に、保護ケースの２つのカバーを着脱可能に構成し、一方のカバーを反転装着出来る様にカバー同士の固定をバックルにて係止し、バックルは反転しないカバー側に設け、反転側のカバーにバックル係止部を双方の固定時の位置から略同一距離となる様構成し、反転装着時にはシール部材に応力が掛からない様にすることができる。
【００３１】
また、反転時は保護ケース内寸法が小さくなり、撮像機器を収納不可の状態することで、保護ケースに比べシール部材の劣化を防ぐことが可能でより信頼性を高めることが出来る。
【００３２】
以上、本発明の好ましい実施形態について説明したが、本発明はこれらの実施形態に限定されず、その要旨の範囲内で種々の変形及び変更が可能である。
【実施例２】
【００３３】
図７、図８は本実施例の保護ケースを示す図であり、ケースの基本的な構成は実施例１と同様である。
【００３４】
図７において、70は防水ケース、71は前カバー、72は後カバー、73a、73bは前カバー71と後カバー72を閉じた状態で保持するバックルである。
【００３５】
また、74は装着した撮像機器の光学系に合わせたガラス部である。このガラス部74を通して撮影を行う。
【００３６】
75はシール部の保護庇である。
【００３７】
図９、図１０は図８のバックル73a部近傍のＢ−Ｂ断面を示す図であり、22は防水用のＯリング、91及び92は前カバー71に設けた後ろカバー72の当て面、93は勘合部、94は後ろカバー12の勘合部、95はバックル係止部、96は後ろカバー72に設けた前カバー71の当て面である。
【００３８】
前カバー71と後カバー72に設けた当て面、バックル73a、バックル係止部95で閉じた状態を保持する構造は実施例1と同様でＸとＹをＸ≒Ｙとしバックル73bについても同様の断面形状での関係として、前カバー71を機器収納状態と反転位置で装着することが可能となる。
【００３９】
保護庇75は前カバー71を反転装着した際にＯリング22と一定のクリアランスＺを確保し保護ケースとして使用しない状態でＯリング22が外部に露出することを防ぐようにする。
【００４０】
この様に、保護ケースの２つのカバーを着脱可能に構成し、一方のカバーを反転装着出来る様にカバー同士の固定をバックルにて係止し、バックルは反転しないカバー側に設け、反転側のカバーにバックル係止部を双方の固定時の位置から略同一距離となる様構成し、反転装着時にはシール部材に応力が掛からない様にすることができる。
【００４１】
また、反転時は保護ケース内寸法が小さくなり、撮像機器を収納不可の状態することが出来、更にシール部材保護用の庇を設け、外部からのダメージを受けない様にすることで保護ケースに比べシール部材の劣化を防ぐことが可能でより信頼性を高めることが出来る。
【００４２】
以上、本発明の好ましい実施形態について説明したが、本発明はこれらの実施形態に限定されず、その要旨の範囲内で種々の変形及び変更が可能である。
【実施例３】
【００４３】
図１１、図１２は本実施例の保護ケースを示す図であり、ケースの基本的な構成は実施例１、２と同様である。
【００４４】
図１１において、110は防水ケース、111は前カバー、112は後カバー、113a、113bは前カバー111と後カバー112を閉じた状態で保持するバックルである。
【００４５】
また、114は装着した撮像機器の光学系に合わせたガラス部である。このガラス部114を通して撮影を行う。
【００４６】
図１３、図１４は図１１のバックル113a部近傍のＣ-Ｃ断面を示す図であり、23は防水用のＯリング、131及び132は前カバー111に設けた後ろカバー112の当て面、133は勘合部、134はバックル係止部、135、136は後ろカバー112に設けた前カバー111の当て面である。
【００４７】
また、137は前カバー111に設けた防水面、138は後カバー112に設けた防水面である。
【００４８】
前カバー111と後カバー112に設けた当て面、バックル113a、バックル係止部135で閉じた状態を保持する構造は実施例1と同様でＸ２とＹ２をＸ２≒Ｙ２としバックル113bについても同様の断面形状での関係として、前カバー111を機器収納状態と反転位置で装着することが可能となる。
【００４９】
また、本実施例ではＯリング22を防水面137と防水面138によってＯリング23を前カバー111と後カバー112の閉じ方向に潰されるように構成して防水ケース110内に水が浸入することを防いでいる。
【００５０】
この様に、保護ケースの２つのカバーを着脱可能に構成し、一方のカバーを反転装着出来る様にカバー同士の固定をバックルにて係止し、バックルは反転しないカバー側に設け、反転側のカバーにバックル係止部を双方の固定時の位置から略同一距離となる様構成し、反転装着時にはシール部材に応力が掛からない様にすることができる。
【００５１】
また、反転時は保護ケース内寸法が小さくなり、撮像機器を収納不可の状態することが出来、更にシール部材保護用の庇を設け、外部からのダメージを受けない様にすることで保護ケースに比べシール部材の劣化を防ぐことが可能でより信頼性を高めることが出来る。
【００５２】
以上、本発明の好ましい実施形態について説明したが、本発明はこれらの実施形態に限定されず、その要旨の範囲内で種々の変形及び変更が可能である。
【符号の説明】
【００５３】
１０  防水ケース、１１  前カバー、１２  後カバー、
１３ａ，１３ｂ  保護ケースの前側カバー、１４  ガラス部、２１  Ｏリング、
２２  Ｏリング、２３  Ｏリング、３１  当て面、３２  当て面、３３  嵌合部、
３４  開口部の内壁、３５  バックル係止部、３６  当て面、３７  防水面、
３８  防水面、７０  防水ケース、７１  前カバー、７２  後カバー、
７３ａ，７３ｂ  バックル、７４  ガラス部、７５  シール部保護庇、９１  当て面、
９２  当て面、９３  勘合部、９４  内壁面、９５  バックル係止部、９６  当て面、
１１０  防水ケース、１１１  前カバー、１１２  後カバー、
１１３ａ，１１３ｂ  バックル、１１４  ガラス部、１３１  当て面、１３２  当て面、
１３３  勘合部、１３４  バックル係止部、１３５  当て面、１３６  当て面、
１３７  防水面、１３８  防水面、１０００  保護ケース、１００１  ビデオカメラ、
１００２  シール部、１００３  台座、１００４  保護ケースの前側カバー、
１００５  バックル
【図１】
2017068176.tif 000003
【図２】
2017068176.tif 000004
【図３】
2017068176.tif 000005
【図４】
2017068176.tif 000006
【図５】
2017068176.tif 000007
【図６】
2017068176.tif 000008
【図７】
2017068176.tif 000009
【図８】
2017068176.tif 000010
【図９】
2017068176.tif 000011
【図１０】
2017068176.tif 000012
【図１１】
2017068176.tif 000013
【図１２】
2017068176.tif 000014
【図１３】
2017068176.tif 000015
【図１４】
2017068176.tif 000016
【図１５】
2017068176.tif 000017